(57)【特許請求の範囲】
【請求項１】
下方に開口を有するとともに一方の外周端縁に沿って取付け用のフランジが拡設されている円弧状ケースと、前記円弧状ケース内に一端が軸着されるとともに他端に車輪が軸着された内ケースと、一端を前記円弧状ケースの車輪側の内側頂部に支持するとともに他端を前記内ケースの軸着部と車輪取付部の中間に架設した上下調節ピンに支持させた鋏みバネとからなり、前記上下調節ピンは前記円弧状ケースのフランジ側の側壁に形成した前記内ケースの軸着部を中心とした円弧状を呈する透窓状のガイド溝に嵌挿されており、前記上下調節ピンの前記ガイド溝内の位置を調節することにより、前記車輪を円弧状ケース内に収納する上昇位置と前記車輪を円弧状ケースの開口から突出する下降位置とに変換することができ、且つ前記上昇位置にあるときには前記鋏みバネの付勢力により車輪を円弧状ケース内に拘束し、前記下降位置にあるときには前記鋏みバネの付勢力により車輪を下方へ付勢することを特徴とする吊戸用ガイドローラ。
【発明の詳細な説明】
【０００１】
【発明の属する技術分野】
本発明は、主として引戸式の吊戸における下面に沿って配置され床面や下枠などに配置されたガイドレールに沿って配置される吊戸用ガイドローラに関するものである。
【０００２】
【従来の技術】
従来、吊戸については、下端面に形成したガイド溝を床面や下枠などに突設したガイド突起に嵌装させることにより移動方向の案内をするものが主であったが、このようなガイド機構は開閉時にガイド溝とガイド突起との間に摩擦力が作用するとともに、ガイド突起で支持することから前後に振れたり円滑な開閉が困難であった。
【０００３】
そこで、引戸の下端面に沿ってガイドローラを取り付け、ガイドローラの車輪を床面や下枠などに配置したガイドレールに嵌め込んで走行させることにより吊戸の開閉を円滑に行うことが行われている。
【０００４】
そして、近頃は建て付け時に専門の職人がおらず、工場でガイドローラを始めとして各種部品を装着した状態の完成品として製作、販売されている。
【０００５】
【発明が解決しようとする課題】
ところが、前記工場でガイドローラを装着した吊戸は、ガイドローラの一部が吊戸の下端面より突出した状態に装着される。そのため、保管時や運搬時に突出したガイドローラが邪魔になり、効率よく包装したり、保管、運搬がきわめて困難であった。
【０００６】
また、従来の吊戸用ガイドローラは、吊戸を建て付けたときに床面や下枠などに設置されたガイドレールに嵌め込んで使用することから車輪の取り付け位置を少なくとも上下方向に調節可能としなければならず、機構が複雑であり、生産面並びに経済面でも不利である。
【０００７】
更に、前記従来の車輪を有する吊戸用ガイドローラは、吊戸の下端面に取付用の彫込溝を形成する必要があり、多量生産に向いていない、という問題もあった。
【０００８】
本発明は前記実情に鑑みてなされたものであり、保管、運搬時には取り付けた吊戸の下端面から突出することがない。従って、邪魔になることがなく、取り付け時の上下方向の調整を必要としないばかりか吊戸への取り付けが簡単で吊戸の多量生産にも適した吊戸用ガイドローラを提供するものである。
【０００９】
【課題を解決するための手段】
前記課題を解決するため、本発明は、下方に開口を有するとともに一方の外周端縁に沿って取付け用のフランジが拡設されている円弧状ケースと、前記円弧状ケース内に一端が軸着されるとともに他端に車輪が軸着された内ケースと、一端を前記円弧状ケースの車輪側の内側頂部に支持するとともに他端を前記内ケースの軸着部と車輪取付部の中間に架設した上下調節ピンに支持させた鋏みバネとからなり、前記上下調節ピンは前記円弧状ケースのフランジ側の側壁に形成した前記内ケースの軸着部を中心とした円弧状を呈する透窓状のガイド溝に嵌挿されており、前記上下調節ピンの前記ガイド溝内の位置を調節することにより、前記車輪を円弧状ケース内に収納する上昇位置と前記車輪を円弧状ケースの開口から突出する下降位置とに変換することができ、且つ前記上昇位置にあるときには前記鋏みバネの付勢力により車輪を円弧状ケース内に拘束し、前記下降位置にあるときには前記鋏みバネの付勢力により車輪を下方へ付勢することを特徴とする。
【００１０】
保管時ならびに運搬時には、上下調節ピンの前記ガイド溝内の位置を上昇位置として車輪を円弧状ケース内に収納し、建て付け時には、上下調節ピンの前記ガイド溝内の位置を下降位置として車輪を円弧状ケースの開口から突出させて床面や下枠などに配置したガイドレールに嵌め込んで走行させる。このとき、
鋏みバネの付勢力により車輪を下方へ付勢することで車輪とガイドレールとが常時接触状態となり、車輪の上下方向の調節を不要とする。
【００１１】
また、吊戸への取付部を下方に開口を有する円弧状ケースとすることにより、所定の径を有する回転切削工具のような工具により、吊戸における裏側の側面に、所定径と所定の深さを有する円弧状取付溝を形成するだけの簡単な作業で取り付けができ、多量生産にも適している。
【００１２】
【発明の実施の形態】
次に、本発明の実施の形態について詳細に説明する。
【００１３】
図面は本発明の好ましい実施の形態の一例を示すものであり、ガイドローラ１は下方に開口２１を有するとともに一方の側壁２２の外周端縁に沿って取付け用のフランジ２３が拡設されている円弧状ケース２内に、一端に軸３１を有し他端に車輪４が軸着された側面が山形を有する端面コ字形の内ケース３が側壁２２，２４間に架設された前記軸３１をにより円弧状ケース２内の偏芯位置に軸着されており、前記軸３１を中心として回転する。
【００１４】
また、前記内ケース３の軸３１と車輪取付軸４１との間に位置する頂部には上下調節ピン５が架設されているとともに、この上下調節ピン５の頭部が円弧状ケース２のフランジ２３側の側壁２２に形成した前記内ケース３の軸３１の取付部を中心とした円弧状を呈する透窓状のガイド溝２５に嵌挿されており、図２に示すように、上下調節ピン５がガイド溝２５の上昇位置にあるときに内ケース３と車輪４とが円弧状ケース２内に収納され、図３に示すように、上下調節ピン５がガイド溝２５の下降位置にあるときに内ケース３と車輪４の一部が円弧状ケース２の下端に形成した開口２１から突出する。
【００１５】
更に、前記円弧状ケース２の車輪４側の内側頂部２６の支軸２７と、前記上下調節ピン５との間にはに鋏みバネ６が架設されている。この挟みバネ６は上下調節ピン５により前記内ケース３への付勢方向が変換し、上下調節ピン５が上昇位置にあるときには、内ケース３と車輪４を円弧状ケース２内に収容した状態に拘束する方向に作用し、上下調節ピン５が下降位置にあるときには、車輪を下方、つまり、開口２１から突出させる方向へ付勢する。
【００１６】
以上のように構成される本実施の形態であるガイドローラ１は、まず、図６（Ａ）に示すように、取り付けようとする吊戸７の所定の位置に、例えば取り付けようとするガイドローラ１の円弧状ケース２の径に等しい外径を有する回転切削工具８を用いて吊戸７の裏側の側面７１に下端面７２に開口した円弧状取付溝７３を形成する。
【００１７】
次に、図６（Ｂ）に示すように、形成した円弧状取付溝７３にガイドローラ１の円弧状ケース２の部分を図６（Ｃ）に示すようにフランジ２３が吊戸７の側面７１に接するように嵌め込んで、フランジ２３に形成したねじ孔２８，２８に止ねじ２９，２９を貫通して螺締することにより、ガイドローラ１を引戸７に取り付ける。
【００１８】
このように、本実施の形態であるガイドローラ１は吊戸７における裏側の側面７１側から取り付けるものであることから、所定の径を有する回転切削工具８のような工具により、吊戸７の側面７１に所定径と所定の深さを有する円弧状取付溝７３を形成するだけの簡単な作業で取り付けができ、工場において簡単に完成品を作成することができる。
【００１９】
特に、本実施の形態は、吊戸７における裏側の側面７１に取り付けることから、引戸７の表側の側面７１からは全く見えることがなく、美観的にも優れているので、特に、吊戸７の裏側の側面７１が露出することのない収納庫などの吊戸用として最適である。
【００２０】
本実施の形態のガイドローラを取り付けた吊戸７は、工場出荷時には、上下調節ピン５を上昇位置にして、内ケース３と車輪４を円弧状ケース２内に収容した状態に拘束した図１および図２に示した状態にすることにより、吊戸７の下端面７２は内ケース３や車輪４が突出することがなく平坦であることから包装、更には保管や運搬に支障をきたす心配がない。
【００２１】
そして、現場において吊戸７を建て付けるときに、上下調節ピン５を挟みバネ６の付勢力に抗して下降位置にした図３および図４に示した状態として内ケース３と車輪４を円弧状ケース２の開口２１から突出させて床面や下枠などに配置したガイドレール９に嵌め込んで走行させることにより吊戸７の開閉を円滑に行うことができる。
【００２２】
このとき、鋏みバネ６の付勢力により車輪４を下方へ付勢することで車輪４とガイドレール９とが常時接触状態となる。そのため、車輪４の上下方向の調節が不要であり、建て付けに関する熟練者を必要としなくとも円滑な開閉状態で吊戸を設置することができる。
【００２３】
また、本実施の形態は、吊戸７を建て付けた後で上下調節ピン５を上昇位置にすることにより、車輪４とガイドレール９との嵌装状態を解除するとともに車輪を吊戸７内に収納した状態に保持することから、着取り外しならびに再建て付けもきわめて容易に行うことができ、更に、がして、内ケース３と車輪４を円弧状ケース２内に収容した状態とすることにより、例えばマジ記のパネルのように吊戸を引戸形式から開き戸形式に連続的に変更使用する場合にも即座に対応することができる。
【００２４】
【発明の効果】
以上のように、本発明は、上下調節ピンのガイド溝内の位置を上昇位置として車輪を円弧状ケース内に収納、保持することにより完成品の吊戸の下端面に車輪などが突出することがなく、きわめて効率よく保管ならびに運搬することができる。
【００２５】
また、現場での建て付け時には、上下調節ピンの前記ガイド溝内の位置を下降位置として車輪を円弧状ケースの開口から突出させて床面や下枠などに配置したガイドレールに嵌め込むだけの簡単な作業で吊戸を円滑に安定した状態で走行させることができ、鋏みバネの付勢力により車輪を下方へ付勢することで車輪とガイドレールとが常時接触状態となり、複雑な上下調整機構を必要としないばかりか、車輪の上下方向の調節も不要である。
【００２６】
また、吊戸への取付部を下方に開口を有する円弧状ケースとすることにより、所定の径を有する回転切削工具のような工具により、吊戸における裏側の側面に、所定径と所定の深さを有する円弧状取付溝を形成するだけの簡単な作業で取り付けができ、多量生産にも適している。
【図面の簡単な説明】
【図１】本発明の好ましい実施の形態の車を収納した状態を示す側面図。
【図２】図１に示した実施の形態の車を収納した状態を示す縦断面図。
【図３】図１に示した実施の形態の車を突出した状態を示す側面図。
【図４】図１に示した実施の形態の車を突出した状態を示す縦断面図。
【図５】図３のＶ−Ｖ線に沿う断面図。
【図６】図１に示した実施の形態の使用状態の説明図。
【符号の説明】
１  ガイドローラ
２  円弧状ケース
３  内ケース
４  車輪
５  上下調節ピン
６  挟みバネ
８  内ケース
２１  開口
２３  フランジ
２５  ガイド溝
２６  内側頂部
【図１】
0003880828.tif 000002
【図２】
0003880828.tif 000003
【図３】
0003880828.tif 000004
【図４】
0003880828.tif 000005
【図５】
0003880828.tif 000006
【図６】
0003880828.tif 000007